(57)【要約】      （修正有）【課題】  人間のページのめくり感覚を残すため（つかむため）極力人間のページめくる機構と同じものでめくり要素を抜き出し、また本の本来もっている本のめくりやすい動き（位置）をつくれる１枚１枚効率よくめくり素早いページめりを可能とする方法と器具とする。【解決手段】粘着力をもったラバー（天然ゴム等）、部分の形状を持ちページ押し当て時、めくり時とともに回転軸からの押し当て部までの距離、形状（面積）がゆるやかに変化（人間の手捲り感覚をのこすだす）しまた、本表面に断面をほぼ垂直に当てることにより本の本来もったページめくり移動易い位置の動き（本は表面位置の右下付近から上に引っ張ると本の開き軸からの距離が一番表面のページが長くなるので）をつくるのが可能にする。また先端は回転式であるので電気等を使えば速さ調整も可能になる。【選択図】図１
2008284864.tif 000002
【特許請求の範囲】
【請求項１】
回転軸とページ接触線の外周点までの距離と粘着性のある接触面積が変化するゴムを先端につけた回転体をもったページ捲り機構
【請求項２】
2008284864.tif 000003
【請求項３】
本ページの開いた最初のページ（の横２分割下しその下方を更に縦六分割し右六分の５領域付近）の接触面をページ中央方向、上方向に若干曲線を描くように移動させながら最初のページと次のページに隙間をつくりページを捲るように捲る方法。
【請求項４】
請求項目１、３をもった機構であり電気駆動で左右減速回転できる装置。
【請求項５】
ページに垂直にあて、あてる前の垂直部分の表面が曲線であるページ捲り部位をもったページ捲り装置。
【請求項６】
請求項目２をもった機構であり電気駆動で左右減速回転できる装置。
【請求項７】
請求項目１、３をもった機構であり手動歯車で左右減速回転できる装置
【請求項８】
請求項目２をもった機構であり手動機構で左右減速回転できる装置
【発明の詳細な説明】
【技術分野】
【０００１】簡易な方法で人間の手の感覚を利用したまま曲線動線を作り出せる形状の変わるめくり機がなかった。
【背景技術】
【０００２】
【特許文献１】特開平０５−０５８０８０
【特許文献２】特開２００３−２８４６１１
【非特許文献１】
【非特許文献２】
【発明の開示】
【発明が解決しようとする課題】
【・・・・】
本発明は人の手で捲る感覚を残したまままた頁捲り機能を強化する発明であるがその要素を解決する機構と方法。
【課題を解決するための手段】
【・・・・】
ページ垂直にあたることができ押し当て時に親指程度の面積を接触することができるかつページ前の状態の断面は円形でありかつページ表面から垂直に断面を当てた状態のまだ触れただけで押し当てていない状態の形状が断面からの角度が３０度から８５度程度の角度をもった押し当てる部分が弾性、粘着性をもち押し当てた時の形状と面積が代わることで人の指で捲る感覚を残したまま使用できめくり機能を高めている。
【発明の効果】
【・・・・】
人の手首を利用しながらも上装置をつかうことで指で捲る機能を残したまま容易に片手でページめくりが可能になる。
【発明を実施するための最良の形態】
【・・・・】
右ページから左ページへめくる例を示す（左から右も同様のやり方である）まずページの最上ページを次ページとのズレをだす（最上でなくとも同用）ためのテクニックとして本のページ表面の右下付近から基本的な目安として本の開く閉じた線の中点付近を目標に押し当てた部位から線を描くよう（構造上正確には曲線となる）捲り機を移動もしくはまわす（下線を▲１▼とする）。または単に本の上部に移動すると隙間でる場合ある。もし捲れなければ元の最初の位置にもどすか再度上に動かすか▲１▼を繰り返すか僅かに位置をずらし再度試す。その本が持つ材質や量の特徴に合わせた最適位置を人の感覚でつかむことで使用する。いったん感覚をつかめば容易に捲ることができる。
【実施例】図１，２，４に本発明の一実施例を示した。
【産業上の利用可能性】電気を使わずとも使用でき携帯用としても利用できる安価で大量生産可能。早く頁を捲らないといけない時また片手しか利用できない時での活躍が可能。
【図面の簡単な説明】図３は接する領域部位での動き説明のための図面であり画面からみて真下に紙片が置いてある。まず接する領域部位での動きを見るために１枚の紙片を下に置き観察するとわかりやすい。実際の使用中での基本の動きは接する面の領域部位の移動は少ない（ページの重なりを外す時ではなく捲り中において）ので全体としての領域部位を１点とみると円になるうごきを説明してある。１枚の紙片を下に置き本装置を一点領域点で回転する動きを想像すると理解しやすい。これにより本装置の領域点での動作線の動きの把握ができる。
実際の動きは１つのページ捲り機を使い一領域（灰色）の部分上（ページとページの間の隙間を作るときに領域を動かす時だけ）で円弧動きベクトルを作っていることになりページの本来持っている開いてる方向と逆向き（つまり閉じる向き）に行く力をまた円弧は画面からみて上向きベクトルの力成分をももつので重複捲り防止を助ける。
【図１】
2008284864.tif 000004
【図２】
2008284864.tif 000005
【図３】
2008284864.tif 000006
【図４】
2008284864.tif 000007
【手続補正書】
【提出日】平成19年8月1日(2007.8.1)
【手続補正１】
【補正対象書類名】明細書
【補正対象項目名】全文
【補正方法】変更
【補正の内容】
【発明の詳細な説明】
【技術分野】
【０００１】ここから書き始めます。
【背景技術】
【０００２】
【特許文献１】
【特許文献２】
【非特許文献１】
【非特許文献２】
【発明の開示】
【発明が解決しようとする課題】
【・・・・】
本発明は本が本来持った閉じようとする方向（つまり開いたページと反対方向に移動しようとする方向）への動きベクトルを持たせることができる装置であり、かつ手で捲る感覚を残したまままた頁捲り機能を強化する発明であるがその要素を解決する機構と方法。
【課題を解決するための手段】
【・・・・】
捲り部位がページに垂直にあてる部位が押し当て時に親指程度の面積を接触することができるかつページ前の状態の断面は円形でありかつページ表面から垂直に断面を当てた状態のまだ触れただけで押し当てていない状態の形状が断面からの角度が３０度から８５度程度の角度を持ち、ページに当てる部位が弾性、粘着性をもち押し当てた時の形状と面積が代わることで人の指で捲る感覚を残したまま使用できめくり機能を高めている。図３により本発明によりめくる機能が高まる原理を説明した。
図３は接する領域部位での動き説明のための図面であり画面からみて真下に紙片が置てある。まず接する領域部位での動きを見るために１枚の紙片を下に置き観察するとわかりやすい。実際の使用中での基本の動きは接する面の領域部位の移動は少ない（ページの重なりを外す時ではなく捲り中において）ので全体としての領域部位を１点とみると円になるうごきを説明してある。１枚の紙片を下に置き本装置を一点領域点で回転する動きを想像すると理解しやすい。これにより本装置の領域点での動作線の動きの把握ができる。
実際の動きは１つのページ捲り機を使い一領域（灰色）の部分上（ページとページのの隙間を作るときに領域を動かす時だけ）で円弧動きベクトルを作っていることになりページの本来持っている開いてる方向と逆向き（つまり閉じる向き）に行く力をまた円弧は画面からみて上向きベクトルの力成分をももつので重複捲り防止を助ける。
【発明の効果】
【・・・・】
本装置をつかうことで指で捲る機能を強化し人の手首を利用しながらも容易に片手でページめくりが可能になる。
【発明を実施するための最良の形態】
【・・・・】
右ページから左ページへめくる例を示す（左から右も同様のやり方である）まずページの最上ページを次ページとのズレをだす（最上でなくとも同用）ためのテクニックとして本のページ表面の右下付近から基本的な目安として本の開く閉じた線の中点付近を目標に押し当てた部位から線を描くよう（構造上正確には曲線となる）捲り機を移動もしくはまわす（下線を１とする）。または単に本の上部に移動すると隙間がでる場合ある。もし捲れなければ元の最初の位置にもどすか再度上に動かすかを繰り返すか僅かに位置をずらし再度試す。捲ろうとするその本が持つ材質や量の特徴に合わせた最適位置を人の感覚でつかむことで使用する。いったん感覚をつかめばラバー回転体でページを捲り容易に捲ることができる。
【実施例】
【産業上の利用可能性】電気を使わずとも使用でき携帯用としても利用できる安価で大量生産可能。早く頁を捲らないといけない時また片手しか利用できない時での活躍が可能。
【図面の簡単な説明】
【図１】本発明の一施例の装置の概略斜図
【図２】本発明の一施例の装置の概略斜図
【図３】本発明部位の動作説明のための時系列投射図
【図４】本発明動作を説明した側面図
【符号の説明】
Ａ−０  形状変形回転ラバーの押し当てる前の説明図
図３のＢ−０  Ａ−０の押し当てページを捲る過程の形状変形の説明図
図４のＢ−０  押し当て部の面積部の説明図
Ｄ−０  押し当てた部位の側面図
【手続補正２】
【補正対象書類名】図面
【補正対象項目名】全図
【補正方法】変更
【補正の内容】
【図１】
2008284864.tif 000008
【図２】
2008284864.tif 000009
【図３】
2008284864.tif 000010
【図４】
2008284864.tif 000011